【手続補正書】
【提出日】平成18年8月7日(2006.8.7)
【手続補正１】
【補正対象書類名】明細書
【補正対象項目名】特許請求の範囲
【補正方法】変更
【補正の内容】
【特許請求の範囲】
【請求項１】  ガラス溶融窯フォアハースのフィーダーボウル用フィーダーチューブ組立体であって、対をなす互いに反対側の端部を備える全体として水平方向に延びる細長い支持アームと、全体として垂直方向に延びるフィーダーチューブと、前記支持アームにより支持されていて、前記フィーダーチューブを前記支持アームの端部に隣接した位置で前記支持アームに取外し自在に固定する手段と、前記支持アームを前記反対側の端部相互間の位置で支持する全体として垂直方向に延びるサーボモータ作動式リニアアクチュエータとを有し、サーボモータ作動式リニアアクチュエータは、前記支持アームの高さ位置を調節するよう動作でき、
前記フィーダーチューブは、その上端に半径方向外方に突出するフランジを有し、
前記フィーダーチューブはさらに、前記半径方向外方に突出するフランジに対して取り外し自在に作用して、前記フィーダチューブを取り外し自在にガラス溶融窯の前記フィーダーボウル内で固定するための締め付け手段を有し、
前記締め付け手段は、前記外方に突出するフランジより上に位置決めされ、前記外方に突出するフランジに対して作用するようにしている締め付けリングと、
周方向に間隔を隔てた複数のラッチ機構であって、それぞれが前記クランプリングに対して作用し、さらに回動されて、前記締め付けリングと前記フィーダチューブとの整列から解除され、前記フィーダチューブが前記フィーダボウルから取り外し可能な複数のラッチ機構とを有する、
ことを特徴とするフィーダーチューブ組立体。
【請求項２】  前記複数のラッチ機構の各々は、ハンドル部分及び丸いカム面を備えたカム部分を有するレバーを有し、前記ハンドル部分は、前記丸いカム面から遠ざかって前記カム部分から外方に延び、前記ラッチ機構は、支持部材を更に有し、前記レバーは、前記支持部材の端に近い位置で前記支持部材に回動自在に連結され、前記ラッチ機構は更に、前記支持部材がその反対側の端の近くで回動自在に連結された固定部材を有し、前記支持部材を前記固定部材に対して回動させると、前記レバーが回って締付けリングとの妨害接触状態から外れることを特徴とする請求項１に記載のフィーダーチューブ組立体。
【請求項３】  前記支持アームにより支持されていて、前記フィーダーチューブをその長手方向中心軸線の周りに前記支持アームに対して回転させる手段を更に有していることを特徴とする請求項１記載のフィーダーチューブ組立体。
【請求項４】  前記支持アームは、その両端部間に位置した開口部を有し、該開口部は、前記リニアアクチュエータの長手方向中心軸線と垂直方向に整列し、前記支持アームは、前記リニアアクチュエータに対して前記リニアアクチュエータの前記長手方向中心軸線の周りに回転できることを特徴とする請求項１記載のフィーダーチューブ組立体。
【請求項５】  前記支持アームの位置を前記リニアアクチュエータに対して前記支持アームの長手方向に延びる軸線に沿って調節する手段を更に有することを特徴とする請求項４記載のフィーダーチューブ組立体。
【請求項６】  前記支持アームの位置を前記リニアアクチュエータに対して前記支持アームの横方向に延びる軸線に沿って調節する手段を更に有することを特徴とする請求項５記載のフィーダーチューブ組立体。
【請求項７】  前記全体として垂直方向に延びるサーボモータ作動式リニアアクチュエータは、前記サーボモータの出力シャフトの観点運動を直線運動に変換するボールねじ機構を有することを特徴とする請求項１記載のフィーダーチューブ組立体。
【請求項８】  前記全体として垂直方向に延びるサーボモータ作動式リニアアクチュエータは、前記サーボモータを回転させないよう解除自在に制動する手段を更に有することを特徴とする請求項７記載のフィーダーチューブ組立体。
【請求項９】  前記支持アームは、第２の開口部を有し、前記支持アームの前記第２の開口部は、前記フィーダーチューブと垂直方向に整列し、前記フィーダーチューブ組立体は、前記第２の開口部に隣接した位置で前記支持アームを環状パターンで冷却する手段を更に有することを特徴とする請求項１記載のフィーダーチューブ組立体。
【請求項１０】  前記リニアアクチュエータは、ハウジング及び前記ハウジング内に少なくとも部分的に収納されていて、前記サーボモータの前記出力シャフトの回転運動の結果として第１の位置と第２の位置との間で前記ハウジングに対して運動できる部材を有し、前記フィーダーチューブ組立体は、固定支持構造体を更に有し、前記ハウジングは、前記固定支持構造体にしっかりと固定されていることを特徴とする請求項７記載のフィーダーチューブ組立体。
【請求項１１】  前記リニアアクチュエータは、ブロックと、前記リニアアクチュエータの前記部材から前記ブロックまで延びる互いに間隔を置いた複数のロッドと、前記リニアアクチュエータに対する前記支持アームの回転を阻止するために前記支持アームを前記ブロックに対して締めつける手段とを更に有することを特徴とする請求項１０記載のフィーダーチューブ組立体。
【請求項１２】  前記リニアアクチュエータは、入力シャフトを有し、前記リニアアクチュエータの前記入力シャフトは、前記サーボモータの前記出力シャフトと一体であり、前記フィーダーチューブ組立体は、前記リニアアクチュエータの前記入力シャフト及び前記サーボモータの前記出力シャフトを前記サーボモータの作動とは無関係に回転させる手段を更に有することを特徴とする請求項１０記載のフィーダーチューブ組立体。
【請求項１３】  前記フィーダーチューブを回転させる前記手段は、前記フィーダーチューブに対して全体として同心状に配置されていて、前記フィーダーチューブに対して回転不能なリングギヤ組立体と、前記リングギヤと噛み合うピニオンギヤと、前記ピニオンギヤに回転運動を与える手段とから成ることを特徴とする請求項３記載のフィーダーチューブ組立体。
【請求項１４】  前記サーボモータ作動式リニアアクチュエータを連続的に潤滑する密閉式潤滑油循環手段を更に有することを特徴とする請求項１記載のフィーダーチューブ組立体。
【請求項１５】  ガラス溶融窯フォアハース設備のフィーダーボウルを交換する方法であって、前記フィーダーボウルは、前記設備内での取付け位置を有し、前記設備は、全体として水平方向に延びる細長い支持アームと、前記支持アームの端部に回転自在に取り付けられていて、常態では最も下に位置する端部がフィーダーボウル内に浸漬した状態で配置されるフィーダーチューブとから成るフィーダーチューブ組立体を有し、前記方法は、前記支持アームをフィーダーチューブの前記最も下に位置する端部が前記フィーダーボウルの上に位置するまで吊り上げる段階と、前記支持アームを前記フィーダーチューブから間隔を置いて位置する軸線の周りに、前記フィーダーチューブが前記フィーダーボウルと垂直方向整列関係をなさなくなるまで回動させる段階と、次に前記フィーダーボウルをその取付け位置から前記支持アームを取り外さないで吊り上げる段階とを有することを特徴とする方法。
【請求項１６】  締付けリングをガラス溶融窯フォアハース設備のフィーダーチューブのフランジに取外し自在に固定するラッチ機構であって、ハンドル部分及び丸いカム面を備えたカム部分を有するレバーを有し、前記ハンドル部分は、前記丸いカム面から遠ざかって前記カム部分から外方に延び、前記ラッチ機構は、支持部材を更に有し、前記レバーは、前記支持部材の端に近い位置で前記支持部材に回動自在に連結され、前記ラッチ機構は更に、前記支持部材がその反対側の端の近くで回動自在に連結された固定部材を有し、前記支持部材を前記固定部材に対して回動させると、前記レバーが回って締付けリングとの妨害接触状態から外れることを特徴とするラッチ機構。
【請求項１７】  前記ハンドル部分は、前記カム部分の端のところの位置で前記カム部分から外方に延びていることを特徴とする請求項１６記載のラッチ機構。
【請求項１８】  上面を備えていてガラス溶融窯フォアハース設備のフィーダーチューブのフランジに係合するよう用いられる形式の締付けリングと、前記締付けリングの前記上面に解除自在に係合するラッチ機構との組合せであって、前記ラッチ機構は、ハンドル部分及び丸いカム面を備えたカム部分を有するレバーを有し、前記ハンドル部分は、前記丸いカム面から遠ざかって前記カム部分から外方に延び、前記ラッチ機構は、支持部材を更に有し、前記レバーは、前記支持部材の端に近い位置で前記支持部材に回動自在に連結され、前記ラッチ機構は更に、前記支持部材がその反対側の端の近くで回動自在に連結された固定部材を有し、前記支持部材を前記固定部材に対して回動させると、前記レバーが回って締付けリングとの妨害接触状態から外れ、それにより締付けリングを吊り上げてフィーダーチューブのフランジとの係合状態から外すことができることを特徴とする組合せ。
【請求項１９】  前記ハンドル部分は、前記カム部分の端のところの位置で前記ハンドル部分から外方に延びていることを特徴とする請求項１８記載のラッチ機構。
【請求項２０】  ガラス溶融窯フォアハースのフィーダーボウル用フィーダーチューブ組立体であって、対をなす互いに反対側の端部を備える全体として水平方向に延びる細長い支持アームと、全体として垂直方向に延びるフィーダーチューブと、前記支持アームにより支持されていて、前記フィーダーチューブを前記支持アームの端部に隣接した位置で前記支持アームに取外し自在に固定する手段と、前記支持アームを前記反対側の端部相互間の位置で支持する全体として垂直方向に延びるサーボモータ作動式リニアアクチュエータとを有し、サーボモータ作動式リニアアクチュエータは、前記支持アームの高さ位置を調節するよう動作でき、
前記全体として垂直方向に延びるサーボモータ作動式リニアアクチュエータは、前記サーボモータの出力シャフトの観点運動を直線運動に変換するボールねじ機構を有し、
前記リニアアクチュエータは、ハウジング及び前記ハウジング内に少なくとも部分的に収納されていて、前記サーボモータの前記出力シャフトの回転運動の結果として第１の位置と第２の位置との間で前記ハウジングに対して運動できる部材を有し、前記フィーダーチューブ組立体は、固定支持構造体を更に有し、前記ハウジングは、前記固定支持構造体にしっかりと固定され、
前記リニアアクチュエータは、ブロックと、前記リニアアクチュエータの前記部材から前記ブロックまで延びる互いに間隔を置いた複数のロッドと、前記リニアアクチュエータに対する前記支持アームの回転を阻止するために前記支持アームを前記ブロックに対して締めつける手段とを更に有することを特徴とするフィーダーチューブ組立体。
【請求項２１】  前記支持アームにより支持されていて、前記フィーダーチューブをその長手方向中心軸線の周りに前記支持アームに対して回転させる手段を更に有していることを特徴とする請求項２０記載のフィーダーチューブ組立体。
【請求項２２】  前記支持アームは、その両端部間に位置した開口部を有し、該開口部は、前記リニアアクチュエータの長手方向中心軸線と垂直方向に整列し、前記支持アームは、前記リニアアクチュエータに対して前記リニアアクチュエータの前記長手方向中心軸線の周りに回転できることを特徴とする請求項２０記載のフィーダーチューブ組立体。
【請求項２３】  前記支持アームの位置を前記リニアアクチュエータに対して前記支持アームの長手方向に延びる軸線に沿って調節する手段を更に有することを特徴とする請求項２２記載のフィーダーチューブ組立体。
【請求項２４】  前記支持アームの位置を前記リニアアクチュエータに対して前記支持アームの横方向に延びる軸線に沿って調節する手段を更に有することを特徴とする請求項２３記載のフィーダーチューブ組立体。
【請求項２５】  前記全体として垂直方向に延びるサーボモータ作動式リニアアクチュエータは、前記サーボモータを回転させないよう解除自在に制動する手段を更に有することを特徴とする請求項２４記載のフィーダーチューブ組立体。
【請求項２６】  前記支持アームは、第２の開口部を有し、前記支持アームの前記第２の開口部は、前記フィーダーチューブと垂直方向に整列し、前記フィーダーチューブ組立体は、前記第２の開口部に隣接した位置で前記支持アームを環状パターンで冷却する手段を更に有することを特徴とする請求項２０記載のフィーダーチューブ組立体。
【請求項２７】  前記リニアアクチュエータは、入力シャフトを有し、前記リニアアクチュエータの前記入力シャフトは、前記サーボモータの前記出力シャフトと一体であり、前記フィーダーチューブ組立体は、前記リニアアクチュエータの前記入力シャフト及び前記サーボモータの前記出力シャフトを前記サーボモータの作動とは無関係に回転させる手段を更に有することを特徴とする請求項２０記載のフィーダーチューブ組立体。
【請求項２８】  前記フィーダーチューブを回転させる前記手段は、前記フィーダーチューブに対して全体として同心状に配置されていて、前記フィーダーチューブに対して回転不能なリングギヤ組立体と、前記リングギヤと噛み合うピニオンギヤと、前記ピニオンギヤに回転運動を与える手段とから成ることを特徴とする請求項２１記載のフィーダーチューブ組立体。
【請求項２９】  前記サーボモータ作動式リニアアクチュエータを連続的に潤滑する密閉式潤滑油循環手段を更に有することを特徴とする請求項２０記載のフィーダーチューブ組立体。